(57)【要約】【課題】レンジフード内の気流を利用して油分をオイルタンクの側に効率良く誘導するレンジフードを提供する。【解決手段】本発明に係るレンジフード５０によれば、ケーシング３２の側面に設けた第１ガイド部３６ａがスクロール壁３２ａの内面に付着した油滴を気流により下方へ移動させ、ディフェーサ部３２ｂの底面に設けられた第２ガイド部３６ｂが遠心ファン３０によって生じた気流を部分的に遮るとともに局所的に逆方向の気流を生じさせ、この逆方向の気流によりケーシング３２底面の油分をオイルタンクの側に誘導することができる。【選択図】図２
2012220168.tif 000002
【特許請求の範囲】
【請求項１】
横置方向に設置され回転により排煙を吸気して外周面から排出する略円筒状の遠心ファンと、
当該遠心ファンを収容するケーシングと、
当該ケーシングの側面を構成するスクロール壁と、
当該ケーシングの排気口側に形成されるディフェーサ部と、
排煙に含まれる油分を溜めるオイルタンクと、を有するレンジフードにおいて、
前記スクロール壁のディフェーサ部近傍に、上部が風上側に位置し下部が風下側に位置するよう形成され、前記ケーシング内に生じる気流によりスクロール壁に付着した油分をケーシングの底部側に導く第１ガイド部と、
前記ディフェーサ部の底部に形成され前記気流を部分的に遮ることでケーシングの底部に導かれた油分を前記オイルタンクの側へ導く第２ガイド部と、を備えたことを特徴とするレンジフード。
【請求項２】
加熱調理器具からの信号を受信する受信部を更に有し、当該受信部の受信面を前記加熱調理器具の操作面側に所定の角度傾けて設置したことを特徴とする請求項１記載のレンジフード。
【発明の詳細な説明】
【技術分野】
【０００１】
本発明は、加熱調理器具の上方に設置して調理等で発生する煙、油煙、臭気、熱等を捕集して外部に排出するためのレンジフードに関するものである。
【背景技術】
【０００２】
レンジフードは、ガスコンロ、ＩＨクッキングヒータ等の加熱調理器具の上方に設置され、調理等で発生する煙、臭気、熱、水蒸気等の排煙を吸引、捕集して屋外等の外部に排出するものである。ただし、この排煙には油分が含まれている場合が多く、これら油分はレンジフードの各部や排気ダクト等に付着して汚れや排気能力低下の原因となる。よって、従来のレンジフードには排煙中の油分がレンジフードの内部に侵入することを防止するため、吸気口にフィルタを設置したものが多い。このフィルタには多数の細孔やスリットが形成された金属板が一般的に用いられ、排煙中の油分をここに付着させることでレンジフード内部への侵入を防止する。このような、フィルタを備えたレンジフードとして、例えば下記［特許文献１］が挙げられる。
【０００３】
また近年、加熱調理器具側から送信される信号を受信して、加熱調理器具と連動して動作するレンジフードが商品化されている。このようなレンジフードの例として、下記［特許文献２］が挙げられる。
【先行技術文献】
【特許文献】
【０００４】
【特許文献１】特開２００８−１８０４５６号公報
【特許文献２】特開平１１−２８１１０６号公報
【発明の概要】
【発明が解決しようとする課題】
【０００５】
ただし、このフィルタに付着した油分を除去するためにはユーザによる定期的な洗浄が必要となる。このフィルタの洗浄は非常に面倒な作業であるため、近年ではフィルタを用いずに排煙中の油分をオイルタンクに溜めるタイプのレンジフードが商品化されている。このようなレンジフードでは油分をオイルタンクに効率良く誘導することが重要となる。
【０００６】
また従来の加熱調理器具では、加熱調理器具から送信される信号は１操作毎に３ショットが一般的であった。しかしながら近年、信号の送信が１操作毎に１ショットの加熱調理器具も商品化されている。このため、レンジフードに対する信号受信感度の向上が求められている。
【０００７】
本発明は上記事情に鑑みてなされたものであり、レンジフード内の気流を利用して油分をオイルタンクの側に効率良く誘導するレンジフードを提供することを目的とする。また、信号受信感度の高いレンジフードを提供することを目的とする。
【課題を解決するための手段】
【０００８】
本発明は、
（１）横置方向に設置され回転により排煙を吸気して外周面から排出する略円筒状の遠心ファン３０と、当該遠心ファン３０を収容するケーシング３２と、当該ケーシング３２の側面を構成するスクロール壁３２ａと、当該ケーシング３２の排気口３２ｄ側に形成されるディフェーサ部３２ｂと、排煙に含まれる油分を溜めるオイルタンク３４と、を有するレンジフードにおいて、
前記スクロール壁３２ａのディフェーサ部３２ｂ近傍に、上部が風上側に位置し下部が風下側に位置するよう形成され、前記ケーシング３２内に生じる気流によりスクロール壁３２ａに付着した油分をケーシング３２の底部側に導く第１ガイド部３６ａと、
前記ディフェーサ部３２ｂの底部に形成され前記気流を部分的に遮ることでケーシング３２の底部に導かれた油分を前記オイルタンク３４の側へ導く第２ガイド部３６ｂと、を備えたことを特徴とするレンジフード５０を提供することにより、上記課題を解決する。
（２）加熱調理器具Ｌからの信号を受信する受信部４０を更に有し、当該受信部４０の受信面４０ａを前記加熱調理器具Ｌの操作面７側に所定の角度傾けて設置したことを特徴とする上記（１）記載のレンジフード５０を提供することにより、上記課題を解決する。
【発明の効果】
【０００９】
本発明によれば、レンジフード内の気流を利用して油分をオイルタンクの側に効率良く誘導することができる。また、信号受信感度の向上を図ることができる。
【図面の簡単な説明】
【００１０】
【図１】本発明に係るレンジフードの分解斜視図である。
【図２】本発明に係るレンジフードのケーシング部分を説明する図である。
【図３】本発明に係るレンジフードの気流と油分の流れを説明する図である。
【図４】第２ガイド部の変形例を説明する図である。
【図５】本発明に係るレンジフードの受信部を説明する図である。
【発明を実施するための形態】
【００１１】
本発明に係るレンジフードについて図面に基づいて説明する。先ず、本発明に係るレンジフード５０の概要を図１の分解斜視図を用いて説明する。本発明に係るレンジフード５０は、回転により排煙を吸気して外周面から排出する略円筒状の遠心ファン３０と、当該遠心ファン３０を収容するケーシング３２と、遠心ファン３０を回転させる図示しない回転モータと、これらを内蔵するフード本体部１０と、遠心ファン３０の下方に設置され吸気口として機能するベルマウス１２と、ベルマウス１２と一体的に形成され排煙に含まれる油分を溜めるオイルタンク３４と、ベルマウス１２の吸気口から所定の間隙を取って設置されレンジフード５０の吸気効率を向上させる整流板１４と、レンジフード５０の各部を電気的に制御する図示しない制御部と、を有している。また、レンジフード５０はフード本体部１０の所定の位置に加熱調理器具からの信号を受信する受信部４０を備えている。
【００１２】
レンジフード５０を構成する遠心ファン３０は略円筒状であり、側面が複数の羽で構成された所謂シロッコファンが用いられる。この遠心ファン３０はケーシング３２の上面から延びる回転モータの回転軸１６にスピンナ１８により固定される。これにより、遠心ファン３０はフード本体部１０内に横置方向、即ち回転軸が略鉛直方向となるように設置される。
【００１３】
次に、本発明に係るレンジフード５０の大きな特徴である第１ガイド部３６ａ、及び第２ガイド部３６ｂを図２、図３を用いて説明する。尚、図２（ｂ）、図３（ｂ）はケーシング３２を上方から見たときの図であり、図２（ａ）、図３（ａ）はケーシング３２のＸ−Ｘ’での断面図である。また、図２（ｃ）はケーシング３２を排気口３２ｄ側から見たときの図である。また、図３中の白抜き矢印はケーシング３２内の気流を模式的に表したものであり、黒塗り矢印は油分の流れを模式的に表したものである。
【００１４】
先ず、図２に示すように、ケーシング３２は側面であるスクロール壁３２ａと、側面の一部に形成された排気口３２ｄと、スクロール壁３２ａと排気口３２ｄとを結ぶディフェーサ部３２ｂと、開口部３２ｃを備えた底面と、回転モータの回転軸１６を通す貫通孔が形成された上面とで主に構成されている。尚、開口部３２ｃは遠心ファン３０の設置位置の下方に設けられ、これにベルマウス１２を設置することでレンジフード５０の吸気口が形成される。また、遠心ファン３０の回転軸はケーシング３２の中心から離れて設置されており、このためスクロール壁３２ａから遠心ファン３０の外周面までの距離はその位置によって異なる。図３（ｂ）の例では、領域Ａにおいてスクロール壁３２ａから遠心ファン３０までの距離が最も狭く、この領域Ａから時計回りに風下に向かうに従ってその距離は徐々に拡がってゆく。
【００１５】
そして、スクロール壁３２ａのディフェーサ部３２ｂ近傍には第１ガイド部３６ａが設けられる。この第１ガイド部３６ａはスクロール壁３２ａの内側に凸となるようスクロール壁３２ａへのプレス加工もしくは所定の厚みの金属板、樹脂板等の接着、ネジ止め等により形成される。また、第１ガイド部３６ａの（凸部の）高さは、低すぎると後述する油分（油滴）への誘導機能が不十分となり、高すぎるとレンジフード５０の排気能力を低下させるため１．０ｍｍ〜２．０ｍｍ程度が好ましく、特に１．２ｍｍ〜１．５ｍｍが好ましい。
【００１６】
また、第１ガイド部３６ａはスクロール壁３２ａに付着した油分を遠心ファン３０によって生じた気流によりケーシング３２の底面側に誘導するものである。従って、図２（ａ）、図３（ａ）に示すように、第１ガイド部３６ａの上部は気流の風上側に位置し、第１ガイド部３６ａの下部は気流の風下側に位置するよう形成する。尚、第１ガイド部３６ａの形状は上部が風上側に位置し、下部が風下側に位置していれば特に限定はなく、例えば“Ｓ字”状や円弧状としても構わない。また、第１ガイド部３６ａの設置数は１つでも複数でも構わない。ただし、十分な誘導機能を確保するためには２〜３つ並べて設けることが好ましい。この構成とすれば、風上側の第１ガイド部３６ａが風下側の第１ガイド部３６ａの遮蔽物となって、風下側の第１ガイド部３６ａ近傍の気流を局所的に弱めることができる。これにより、油滴（油分）が強い気流によって風上側の第１ガイド部３６ａを乗り越えたとしても、この油滴は風下側の第１ガイド部３６ａを乗り越えることができず、風下側の第１ガイド部３６ａによりケーシング３２の底面側に誘導されることとなる。尚、図２（ａ）、図３（ａ）では第１ガイド部３６ａをスクロール壁３２ａに設けた例を示しているが、ディフェーサ部３２ｂに設けても構わない。
【００１７】
尚、ケーシング３２には、油分が第１ガイド部３６ａを越えて排気口３２ｄの側に飛散することを防止する舌部プレート４２を設けることが好ましい。この舌部プレート４２は下方が広く上方が狭い略台形形状とすることが好ましい。この構成によれば、レンジフード５０の排気能力の低下を抑制しながら、排気口３２ｄ側への油分の飛散をある程度防止することができる。また、舌部プレート４２の下部にはケーシング３２の底面を伝った油分が通過できるよう隙間を形成することが好ましい。
【００１８】
ディフェーサ部３２ｂの底部には所定の高さの第２ガイド部３６ｂが設置されている。第２ガイド部３６ｂもケーシング３２の内側に凸となるよう、ケーシング３２へのプレス加工もしくは金属板、樹脂板等の接着、ネジ止め等により形成される。第２ガイド部３６ｂの（凸部の）高さも、低すぎると油分への誘導機能が不十分となり、高すぎるとレンジフード５０の排気能力を低下させるため３．０ｍｍ〜７．０ｍｍ程度が好ましく、特に５．０ｍｍ前後が好ましい。尚、第２ガイド部３６ｂをディフェーサ部３２ｂよりも内側（遠心ファン３０側）に設けるとレンジフード５０の排気能力を大幅に低下させるため、第２ガイド部３６ｂはディフェーサ部３２ｂに設置することが好ましい。この第２ガイド部３６ｂは遠心ファン３０によって生じた気流を部分的に遮って局所的に第２ガイド部３６ｂ側から遠心ファン３０側へ向かう逆方向の気流を生じさせ、この逆方向の気流によりケーシング３２の底面に誘導された油分をケーシング３２底面の開口部３２ｃ側に導くものである。従って、その形状は図４（ａ）に示すように遠心ファン３０側に屈曲したものでも良いし、図４（ｂ）に示すように断面円弧状としても良い。
【００１９】
次に、遠心ファン３０による気流と油分の流れに関して説明を行う。先ず、加熱調理器具で排煙が生じている状態でレンジフード５０を起動する。レンジフード５０が起動すると、回転モータが動作し遠心ファン３０が図３（ｂ）中で時計回りに回転する。尚、回転モータが反時計回りに回転するものの場合、以下の説明はすべて逆となる。遠心ファン３０が回転すると、遠心ファン３０の内側から外側に向けて気流が発生し、遠心ファン３０はベルマウス１２の開口部から外気を吸気する。これにより、加熱調理器具で発生した排煙はフード本体部１０と整流板１４との間隙を通り、ベルマウス１２の開口部から遠心ファン３０に取り込まれる。遠心ファン３０に取り込まれた排煙は遠心ファン３０の外周面からケーシング３２内に排出される。このとき排煙中の油分の多くはスクロール壁３２ａに油滴となって付着する。また、遠心ファン３０に油滴となって付着したうえで遠心ファン３０に生じる遠心力によりスクロール壁３２ａに飛散する。他の排煙はケーシング３２内を時計回りに進み、ディフェーサ部３２ｂ及び排気口３２ｄを介して排気ダクト５に送られ、屋外等の外部に排出される。
【００２０】
スクロール壁３２ａに付着した油滴は、ケーシング３２内の気流によってスクロール壁３２ａの内面を時計回りに移動する。この際、一部の油滴は自重によりケーシング３２の底面に達する。そして、スクロール壁３２ａの内面を移動する油滴は第１ガイド部３６ａに到達する。前述のように第１ガイド部３６ａは上部が気流の風上側に位置し下部が風下側に位置しているから、この領域では局所的に第１ガイド部３６ａに沿って底面方向へ向かう気流が生じる。この気流により第１ガイド部３６ａに達した油滴は、第１ガイド部３６ａに沿って下方へ移動し最終的にケーシング３２の底面に達する。そして、底面を移動してきた油滴と合流する。
【００２１】
合流した油滴は遠心ファン３０の気流によりディフェーサ部３２ｂを排気口３２ｄ側に向かって移動する。ただし、ディフェーサ部３２ｂには第２ガイド部３６ｂが存在し、遠心ファン３０によって生じた気流を部分的に遮るとともに局所的に逆方向の気流を生じさせる。この逆方向の気流と順方向の気流とにより、合流した油滴はディフェーサ部３２ｂを横断するように移動する。
【００２２】
ここで、図３中の領域Ａでは、遠心ファン３０の回転により領域Ａ近傍の空気を遠心ファン３０側に引き込む比較的強い気流が生じる。この領域Ａ近傍の気流によりディフェーサ部３２ｂを横断した油滴は遠心ファン３０側に引き込まれ、ケーシング３２底面の開口部３２ｃからベルマウス１２に設けられたオイルタンク３４に滴下する。これにより、レンジフード５０が吸気した排煙中の油分はオイルタンク３４に円滑かつ効率良く誘導される。
【００２３】
ユーザはオイルタンク３４を定期的に清掃することで油分を除去する。この清掃はフィルタの清掃よりも楽であり、よってユーザによるメンテナンス作業の負担を軽減することができる。また、本発明に係るレンジフード５０では、上記のようにベルマウス１２とオイルタンク３４とが一体的に形成されているため、その分清掃する部品点数が減少しユーザのメンテナンス作業の負担をさらに軽減することができる。
【００２４】
次に本発明に係るレンジフード５０の受信部４０に関して説明を行う。本発明に係るレンジフード５０は、図５に示すように、加熱調理器具Ｌからの信号を受信する受信部４０を有している。ここでの加熱調理器具Ｌからの信号とは、例えば加熱調理器具Ｌの点火動作時や消火動作時に発せられるものであり、一般的に加熱調理器具Ｌの操作面７から前方に向けて発信される。そして、ユーザＭや家屋の壁面で反射してレンジフード５０の側に伝達される。レンジフード５０の受信部４０はこの信号を受信してレンジフード５０の制御部に出力し、レンジフード５０の制御部はこれらの信号に応じて回転モータの起動、停止、回転速度等を制御する。これにより、レンジフード５０は加熱調理器具Ｌの点火、消火と連動して起動、停止等を行う。
【００２５】
ここで、従来の受信部４０の受信面４０ａは鉛直方向下を向いて設置されているものが多い。しかしながら、本発明に係るレンジフード５０の受信面４０ａは加熱調理器具Ｌの操作面７側に所定の角度θ傾けて設置されている。一般的に受信部４０は信号の入力角が小さいほど信号受信感度が向上する。本発明に係るレンジフード５０の受信面４０ａは加熱調理器具Ｌの操作面７側に所定の角度θ傾けて設置されているため、加熱調理器具Ｌからの信号の入力角が従来のものより角度θ小さくなり、その分、信号受信感度が向上する。これにより、加熱調理器具Ｌから送信される信号が１操作毎に１ショットとなってもレンジフード５０の連動動作を問題なく行うことができる。尚、角度θは３０°〜４０°程度が好ましく、３２°前後が特に好ましい。
【００２６】
以上のように、本発明に係るレンジフード５０によれば、ケーシング３２の側面に第１ガイド部３６ａを設け、ディフェーサ部３２ｂの底面に第２ガイド部３６ｂを設けることで、遠心ファン３０によって生じる気流を利用して油分をオイルタンクの側に効率良く誘導することができる。
【００２７】
また、受信部４０の受信面４０ａを加熱調理器具Ｌの操作面７側に所定の角度θ傾けて設置することで高い信号受信感度を得ることができる。これにより、加熱調理器具Ｌから送信される信号が１操作毎に１ショットとなってもレンジフード５０の連動動作を問題なく行うことができる。
【００２８】
尚、上記のレンジフード５０は一例であるから、各部の構成、形状、動作、手順等は特にこれに限定されるものではない。また、本発明は壁取り付けタイプと、天井取り付けタイプ（アイランド型）との双方に適用が可能である他、本発明は本発明の要旨を逸脱しない範囲で変更して実施することが可能である。
【符号の説明】
【００２９】
７      操作面
３０    遠心ファン
３２    ケーシング
３２ａ  スクロール壁
３２ｄ  排気口
３２ｂ  ディフェーサ部
３６ａ  第１ガイド部
３６ｂ  第２ガイド部
３４    オイルタンク
４０    受信部
４０ａ  受信面
５０    レンジフード
Ｌ      加熱調理器具
【図１】
2012220168.tif 000003
【図２】
2012220168.tif 000004
【図３】
2012220168.tif 000005
【図４】
2012220168.tif 000006
【図５】
2012220168.tif 000007